(57)【特許請求の範囲】
【請求項１】
発光体と導光体とを組み合わせた電子機器の表示装置において、
少なくとも、設置盤に固定された発光体と、この発光体の光を外方に導く導光体とで構成され、
該導光体は、本体と、この本体に対する先端方向のパネル孔に係止される肩部と、該設置盤に繋がる部分が弾性を有するようにスカート状に構成したスカート部とを有し、
上記設置盤とパネルとの間に導光体を狭持するようにしたことを特徴とする電子機器の表示装置。
【請求項２】
スイッチ部と表示部とを一体的に形成したスイッチ付き電子機器の表示装置において、
上記表示部は、少なくとも、設置盤に固定された発光体と、この発光体の光を外方に導く導光体とで構成され、
該導光体は、本体と、この本体に対する先端方向のパネル孔に係止される肩部と、該設置盤に繋がる部分が弾性を有するようにスカート状に構成したスカート部とを有し、
上記スイッチ部は、ゴム状の接点付き弾性体と該接点に接触可能な設置盤とからなり、
上記弾性体は、上記スカート部の裾に連なるベース部と、このベース部から外方に連設して突設した突出部と、この突出部の内方天面に設けた上記接点とを備え、
上記設置盤は、上記弾性体の接点に対向する位置に設けた固定接点を有し、上記表示部の設置盤に連設して構成するとともに、
上記設置盤とパネルとの間に導光体を狭持するようにしたことを特徴とする電子機器の表示装置。
【発明の詳細な説明】
【０００１】
【発明の属する技術分野】
本発明は、発光ダイオード（以下ＬＥＤと言う）等の発光体と導光体とからなる表示器を表示パネルなどに設置する技術に関する。
【０００２】
【従来の技術】
図７に示すように、透孔１０１を設けたプリント基板（設置盤）１００に、ＬＥＤチップ１０２を該透孔１０１に対向させてハンダ付けし、この基板１００の透孔１０１に対応して導光体１０３を基板に載置し、導光体の頂部１０４をパネル２００（ケースの場合もある）に開けた透孔２０１に挿通するようにした表示装置は、従来からあった。
【０００３】
【発明が解決しようとする課題】
しかしながら、上記従来技術においては、パネル下面２０３と基板上面１０７との距離が、一定でないような複数の表示器を同一パネルに設ける場合（例えば基板と、パネルとが非平行）異なる高さの導光体をそれぞれ必要とした。このことは、複数の表示器を同一パネルに設ける場合だけでなく、パネル対基板間距離Ｄが異なる別々の複数の表示装置における導光体配設にあっても、同様に前記複数分の高さの異なる導光体を用意しなければならなかった。
また、パネル対基板間距離が異なる複数の表示装置でも、同じ導光体を使用することは可能であるが、この場合は、パネル上面に凹部を設けるなどして、該凹部からの導光体の突出量を一定にしなくてはならなかった。
従って、前者の場合は、部品点数が多くなり、組立が煩雑になる。後者の場合は、構成が複雑になり、パネルの金型等が高額になるだけでなく、上記凹部内に頂部１０４を配設する場合は、斜め側方からの視認性が悪くなる。
【０００４】
以上の背景から、部品点数が少なく、構成簡単な電子機器の表示装置が望まれていた。
そこで、本発明では、導光体の少なくとも一部に弾性を施すことにより、導光体の高さを可変にして、パネル対設置盤間距離が異なる複数の表示器に共通な導光体とその周辺の機構を施した構成簡単かつ組立容易な電子機器の表示装置提供することを目的としている。
本発明請求項２では、上記の導光体に加えて、スイッチ部をも一体に形成した構成簡単かつ組立容易な電子機器の表示装置の提供を目的としている。
【０００５】
【課題を解決するための手段】
上記した対応する目的を達成するために、本発明請求項１記載の電子機器の表示装置は、発光体と導光体とを組み合わせてなり、少なくとも、設置盤に固定された発光体と、この発光体の光を外方に導く導光体とで構成され、該導光体は、本体と、この本体に対する先端方向のパネル孔に係止される肩部と、該設置盤に繋がる部分が弾性を有するようにスカート状に構成したスカート部とを有し、上記設置盤とパネルとの間に導光体を狭持するようにした。
【０００６】
本発明請求項１記載の装置によればスカート部に弾性を持たせることで導光体の高さを可変にすることができる。これにより、パネル対設置盤間距離が異なる別々の表示装置に、同一部品にて発光体と導光体等で構成される表示器を配設することができる。
【０００７】
上記した対応する目的を達成するために、本発明請求項２記載の電子機器の表示装置は、スイッチ部と表示部とを一体的に形成したスイッチ付き電子機器の表示装置において、上記表示部は、少なくとも、設置盤に固定された発光体と、この発光体の光を外方に導く導光体とで構成され、上記導光体は、本体と、この本体に対する先端方向のパネル孔に係止される肩部と、上記設置盤に繋がる部分が弾性を有するようにスカート状に構成したスカート部とを有し、上記スイッチ部は、ゴム状の接点付き弾性体と該接点に接触可能な設置盤とからなり、上記弾性体は、上記スカート部の裾に連なるベース部と、このベース部から外方に連設して突設した突出部と、この突出部の内方天面に設けた上記接点とを備え、上記設置盤は、上記弾性体の接点に対向する位置に設けた固定接点を有し、上記表示部の設置盤に連設して構成するとともに、上記設置盤とパネルとの間に導光体を狭持するようにした。
【０００８】
本発明請求項２記載の装置によればスカート部に弾性を持たせることで導光体の高さを可変にすることができるとともに、導光体にスイッチ部を一体に連設したので、パネル対設置盤間距離が異なる別々の表示装置に、同一部品にて発光体と導光体等で構成されるスイッチ機能付き表示器を配設することができる。
【０００９】
【発明の実施の形態】
以下に、本発明の実施形態の１つ（第１実施例）を図１〜図３を用いて説明する。
図１は、この発明の主要部を構成する導光体３０の斜視図であって、図２は、該導光体３０を基板１０とパネル２０との間に狭持させた状態を示す側断面図である。該導光体３０は、透明もしくは半透明の樹脂材からなる円錐台状の本体３１とこの本体３１を支えるスカート状をなしたスカート部３２と本体３１の先端を含む頂部３３とからなり、この頂部３３と本体３１との境目には肩部３４を有し、スカート部３２の裾にはフランジ状のベース部３８を有している。スカート部３２の内側は中空になっており、その天面３５は基板１０と平行に構成されている。その側面は薄肉部３７を含む側壁３６で構成され、主にこの側壁３６が弾性を有している。基板１０は、透孔１１を有し、この透孔１１に発光体であるＬＥＤ１２を対応させて配設する。ＬＥＤ１２のリード線１３の端部は、基板に開けた孔１４に挿通して自動ハンダ装置のハンダ曹に浸して、複数のＬＥＤを基板１０に電気的かつ機械的に固着する。さらに、パネル２０は、発光体１２と導光体３０とで構成される表示器の表示部のための透孔２１が、表示器の数だけ開けられており、その透孔２１の基板側方向に向かって導光体押え部２２が、伸設されている。上記した表示器は、図２のように基板１０に固着したＬＥＤ１２の存在する所に複数設けられ、次のように組み立てられる。
【００１０】
まず、ＬＥＤ１２付基板１０に各導光体３０、３０、３０を各ＬＥＤ１２、１２、１２に対向させて、固着する。固着手段としては、ベース部３８の下面に接着剤を塗布して、基板に貼り付けたり、図１に図示した鉤部３９を図示しない基板の鉤穴に圧接貫通させて固着する。この導光体付基板１０をパネル裏面２８に接近させ、各導光体頂部３３を透孔２１に挿通してその表面をパネル２０からわずかに突出するように配設すると、各肩部３４が導光体押え部２２の下面２３に当接する。
【００１１】
この時、基板１０とパネル２０との間の距離Ｄが大きい場合（Ａ）には、スカート部３２はわずかに上下方向に圧縮する程度であり、（Ｂ）、（Ｃ）と移動するにつれて、薄肉部３７を中心に変形し、その圧縮度合いは大きくなる。このような状態は、図２に示すとうり、右側に行くに従い、距離Ｄが小となるような基板１０とパネル２０とが非平行である状態であって、このような非平行状態にしつつ、右側の基板端部１８をネジ孔１６を介してネジ４０により、パネル下面に突設した基板固定部２６に固着する。左側は、基板固定部の長さが長いだけの右側と同じ構造の固着手段（図示せず）にて、基板１０をパネル２０に固着する。
【００１２】
以上のように組み立てられた図２の実施例にあっては、基板・パネル間距離Ｄが（Ａ）の場合Ｄ＝ｄ１、（Ｂ）の場合Ｄ＝ｄ２、（Ｃ）の場合Ｄ＝ｄ３のように、（Ａ）〜（Ｃ）によって変化するが、これに対応してスカート部の高さが変化することで、導光体の高さもｄ１〜ｄ３へと変化する。
このように、導光体の基板への設置高さを可変にしたので、距離Ｄが異なる複数の表示器の導光体を同一物にて共通に使用することができる。
【００１３】
図２の実施例では複数の表示器が１つの基板と１つのパネルとで狭持される構成にしたが、複数の表示器を各々独立した専用の基板と複数の独立したパネルとで各々狭持される構成の実施例（第２実施例）に適用してもよい。
この場合は、図２のようなパネルと基板とが非平行でもよく、平行な構成でもよい。この第２実施例の自然な形態としては、図３に示すように、前記基板は、小さなケース体５０で構成される箱型の設置盤からなり、第１実施例のパネル２０に相当するケース体６０とともにケーシングを構成するものであってもよい。この実施例に使用される導光体７０は、ベース部が存在しない他は、前実施例の導光体３０と全く同じ物でよい。
【００１４】
この実施例では、ケース体５０の内側に直付けされたＬＥＤ５１の上面に導光体７０を嵌挿し、下面２３で肩部３４を押下しつつ、ケース体５０とケース体６０とを嵌合面５５にて嵌め合わせ、表示器ユニットを構成している。なお、各ケース体５０、６０は、図示しないネジにて固着される。
【００１５】
図３では、ケース体６０の高さｈ１が低い場合を示したもので、高い場合は、図２（Ｂ）、（Ｃ）に示す導光体のようになる。即ちケース長Ｄの大きい表示器ユニットでもＤが小さい表示器ユニットでも、共通の導光体を使用し得る。これらの同一導光体を使用した複数の表示器ユニットは、ケース体６０のフランジ部６２に設けたネジ孔６４に図示しないネジを螺入して図示しないパネルへ螺着する。
【００１６】
この実施例では、ケース長Ｄが異なる表示器ユニットが必要な場合でも、ケース体６０もしくは５０の高さｈ１、ｈ２のいずれかを異ならせたケース体を使用するだけで、別ユニットを構成することができる。図３のような表示器ユニットは、パネル（上ケース）・基板（下ケース）間距離が異なる種々のケースに比較的数の少ない表示器が必要な場合に有効となる。さらに第２実施例では、Ｄ長が異なれば、ＬＥＤ５１と導光体スカート部天面３５との距離が異なるので、供給電圧が同一ならパネル表面からの視認光度が異なる。従って、同一パネル面に該光度が異なる表示器を使用する場合にも有効である。一方第１実施例では、基板の透孔１１にＬＥＤ１２を対応させる構成であるので、図２のようにリード線１３の曲げにより、ＬＥＤ１２を近接／離間させることができ、これによって、同一パネルで同一光度仕様と異光度仕様の両方が任意に行い得る。
なお、図２において、リード線１３をＬＥＤ１２に対しπ型に折曲構成した部品を自動挿入機によって、基板に仮固着し、その後自動ハンダ曹に流せば、組立簡単にして、スカート部内側天面３５とＬＥＤ１２との距離を一定に保持することができる。
【００１７】
図４〜６は、この発明のさらに他の実施例（第３実施例）を示すものであり、図４は、パネルを省略した斜視図、図５は、パネルを含めて描いた図４におけるＡーＡ矢視の側断面図、図６は、パネル・基板間距離Ｄが図５と異ならせた場合の側断面図である。なお、図４の導光体は、図５のようにパネルと基板とで狭持し、圧縮力が掛ったままパネルを取り除いたところを図示している。
この実施例の特徴は、導光体を形成する材料にてスイッチの可動接点を有する可動部を一体に構成した点にある。
【００１８】
この実施例は、次の構成からなる。
スイッチ部と表示部とを一体的に形成したスイッチ付き電子機器の表示装置であって、上記表示部は、少なくとも、設置盤を構成する基板１１０に固定された発光体（ＬＥＤ５１１）と、この発光体の光を外方Ｂに導く導光体３０とで構成され、該導光体３０は、本体３１と、この本体に対する先端方向のパネル孔２１に係止される肩部３４と、該設置盤１１０に繋がる部分が弾性を有するようにスカート状に構成したスカート部３２とを有し、上記スイッチ部は、ゴム状の接点付き弾性体９０と該接点９６に接触可能な設置盤１１０とからなり、上記弾性体９０は、上記スカート部３２の裾に連なるベース部８２と、このベース部から外方Ｂに連設して突設した突出部９２と、この突出部の内方天面９５に設けた上記接点９６とを備え、上記設置盤１１０は、上記突出部９２の接点９６に対向する位置に設けた固定接点１５を有し、上記表示部の設置盤に連設して構成するとともに、この連設した設置盤１１０と上記パネル２０との間に導光体３０を狭持するようにしている。
【００１９】
そして、この実施例では、発光体と導光体とからなる表示器を点灯・消灯制御するためのスイッチと連動させるためスイッチ部を表示器に近接配置させ、両者を透明な樹脂性弾性部材（弾性体）で一体的に構成する。この弾性体９０は、自身に備えた鉤型脚９８を基板１１０の取り付け孔１１２に圧入して基板１１０と一体化する。この一体化されたスイッチ付き表示器は、ネジ１１４を介してパネル下面に突設した基板固定部２６に螺着される。この場合、該固定部２６の先端は、弾性体９０の四方隅に開けられたバカ孔９９を貫通して基板表面に当接した状態で基板１１０とパネル２０とが固着される。固着された状態では、第１実施例と同様、パネル下面に肩部３４が押されて固定部２６の高さに導光体３０の高さが規制される。一方、スイッチの可動部（突出部９２）は、その肩部９３がパネル下面にわずかに押された状態でパネル・基板間に狭持される。そして、キートップ９４は、キースイッチの機能を表わす名称及びキートップ位置を示すマークが印刷されたラミネートシートで覆う。
この実施例では、スイッチ押圧部は、パネルから突出せず、パネル表面と同一面上にある。
【００２０】
図６は、パネル・基板間距離がＤ１＜Ｄ２にした場合の例であって、同一番号は図５における同一部分と同様であり、その説明を省略する。この場合には、導光体３０が縮体せず、その肩部３４がパネル下面に当接し、キートップ９４は、パネル表面から陥没した状態になるので、断面Ｔ字型の別体押圧部９７によって押圧するように構成される。従って、図５で使用したラミネートシートは不要となる。
【００２１】
以上、各実施例を説明してきたが、全実施例において、導光体３０全体が、弾性材料で形成され、特にスカート部３２に弾性を有し、パネル・基板間に導光体を圧縮して保持させているので導光体押え部の下面２３と肩部３４とが常に密着し、埃等がパネル外側から内側に進入することもない。
従って、例えば図５のようなパネル上面をラミネートシート仕上げのような仕様にすると、屋外で使用し得る防滴仕様にすることができる。
なお、第１実施例（図２）において、導光体３０は、（Ａ）〜（Ｃ）別々に構成したが、ベース部３８を共通にした単一の弾性シートに同一の複数の導光体を一体に形成するようにしてもよい。その構成のイメージとしては、図４においてスイッチの可動部９２をその隣の導光体３０と同じように置換して並設したようになる。
【００２２】
【発明の効果】
この発明によれば、
１）パネル対設置盤間距離が異なる表示器に共通な導光体を使用したので、表示装置の構成が簡単かつ組立容易にすることができる。
２）スイッチと表示器とを一体に形成したので電子機器のパネル表示構成をより簡素化することができる。
【図面の簡単な説明】
【図１】本発明の表示装置に使用する導光体の斜視図である。
【図２】本発明の表示装置（第１実施例）を示す側断面図である。
【図３】本発明の他の実施例（第２実施例）を示す側断面図である。
【図４】本発明のさらに他の実施例（第３実施例）を示す斜視図である。
【図５】本発明の第３実施例を示す側断面図である。
【図６】本発明の第３実施例の変形例を示す側断面図である。
【図７】従来技術を表わす側断面図である。
【符号の説明】
１０、１００、１１０…設置盤（基板）、
１２、５１、１０２、５１１…発光体（ＬＥＤ）、
３０、７０、１０３、…導光体、
２０、６０、２００…パネル、
２１…パネル孔、３１…導光体本体、３２…スカート部、３４…肩部、
８２…ベース部、９０…弾性体、９２…突出部、９５…突出部内方天面、
９６…可動接点、１５…固定接点
【図１】
0003620234.tif 000002
【図２】
0003620234.tif 000003
【図３】
0003620234.tif 000004
【図４】
0003620234.tif 000005
【図５】
0003620234.tif 000006
【図６】
0003620234.tif 000007
【図７】
0003620234.tif 000008